(57)【特許請求の範囲】
【請求項１】
配管を固定する配管固定部と、
前記配管固定部に固定された前記配管の一端側に接離する前後方向に可動し、突起部材が先端に螺入されてなる接続金具嵌入部と、
回動操作に連動して前記接続金具嵌入部を可動させる持ち手操作部と、を備え、
前記配管固定部で固定された前記配管に嵌入される接続金具を前記突起部材で支持し、
前記突起部材の前記接続金具嵌入部への螺入量を変化させて前記突起部材の突出量を調整して、
前記接続金具嵌入部は、予め前記突起部材の突出量を調整設定する着脱可能な調整部材を備えることを特徴とする接続金具嵌入工具。
【請求項２】
前記配管固定部は、前記配管を左右から狭持して固定することを特徴とする請求項１記載の接続金具嵌入工具。
【請求項３】
前記接続金具嵌入部は、前記接続金具嵌入部の可動域を規制する規制部を設けることを特徴とする請求項１または２記載の接続金具嵌入工具。
【請求項４】
請求項１〜３のいずれかに記載の接続金具嵌入工具によって接続金具を配管に嵌入する接続金具嵌入方法であって、
前記接続金具嵌入部の先端に螺入された前記突起部材の螺入量を変化させて前記突起部材の突出量を調整し、前記接続金具を前記配管に嵌入することを特徴とする接続金具嵌入方法。
【発明の詳細な説明】
【技術分野】
【０００１】
本発明は、接続金具を配管に嵌入する接続金具嵌入工具および接続金具嵌入方法に関する。
【背景技術】
【０００２】
従来、合成樹脂などからなる配管、所謂ホースなどの配管を外部機器などと接続する場合には、当該配管の開口部に嵌入した接続金具を介して接続することが一般的である。
【０００３】
しかし、前記ホースが肉厚で硬質である場合には、手作業で接続金具を前記ホースに確実に取り付けることは不可能であった。
【０００４】
このような問題を解決するため、特許文献１には、前部下端位置に螺入植設された芯出し用円錐ピンおよび後部上端位置に螺入締結され、ストロークを規定するストッパーピンを有する押圧ロッドを備え、固定されたホースの切断端部へ継手金具を挿入して貫通口内へ掴持させた上で、操作ハンドルによる前後方向への進退作用によって当該押圧ロッドを前進操作し、当該継手金具をホース内へ押し込み圧入させるように設定したことを特徴とするホースに対する継手金具の圧入セット機が提案されている。
【先行技術文献】
【特許文献】
【０００５】
【特許文献１】実公平４−４０８５５号公報
【発明の概要】
【発明が解決しようとする課題】
【０００６】
しかしながら、特許文献１の圧入セット機では、ホースの固定位置が悪くて押圧ロッドのストロークが不足する場合には、継手金具をホースに完全に押し込むことが出来ず、押圧ロッドを前進させて継手金具を押し込み圧入可能な位置にホースを再固定する必要があり大変手間である。
【０００７】
また、ホースがしっかり固定されておらず、継手金具を圧入する力でホースが後退してストロークが不足してしまった場合にも、同様にホースを再固定する必要がある。
【課題を解決するための手段】
【０００８】
本発明は、上述した技術背景に鑑み、操作負担を低減し、容易に接続金具を配管に嵌入することができる接続金具嵌入工具および接続金具嵌入方法の提供を目的とする。
【０００９】
即ち、本発明は下記［１］〜［５］に記載の構成を有する。
【００１０】
［１］  配管を固定する配管固定部と、
前記配管固定部に固定された前記配管の一端側に接離する前後方向に可動し、突起部材が先端に螺入されてなる接続金具嵌入部と、
回動操作に連動して前記接続金具嵌入部を可動させる持ち手操作部と、を備え、
前記配管固定部で固定された前記配管に嵌入される接続金具を前記突起部材で支持し、
前記突起部材の前記接続金具嵌入部への螺入量を変化させて前記突起部材の突出量を調整することを特徴とする接続金具嵌入工具。
【００１１】
［２］  前記配管固定部は、前記配管を左右から狭持して固定することを特徴とする前項１記載の接続金具嵌入工具。
【００１２】
［３］  前記接続金具嵌入部は、前記接続金具嵌入部の可動域を規制する規制部を設けることを特徴とする前項１または２記載の接続金具嵌入工具。
【００１３】
［４］  前記接続金具嵌入部は、予め前記突起部材の突出量を調整設定する着脱可能な調整部材を備えることを特徴とする前項１〜３のいずれかに記載の接続金具嵌入工具。
【００１４】
［５］  前項１〜４のいずれかに記載の接続金具嵌入工具によって接続金具を配管に嵌入する接続金具嵌入方法であって、
前記接続金具嵌入部の先端に螺入された前記突起部材の螺入量を変化させて前記突起部材の突出量を調整し、前記接続金具を前記配管に嵌入することを特徴とする接続金具嵌入方法。
【発明の効果】
【００１５】
上記［１］に記載の接続金具嵌入工具によれば、配管の固定位置が悪く、接続金具嵌入部のストロークが不足する場合であっても、突起部材の突出量を調整することで、配管の固定位置を修正する必要なく、配管固定部に固定したまま接続金具を確実に配管に嵌入することができ、操作負担を低減し、容易に接続金具を配管に嵌入することができる。
【００１６】
配管がしっかり固定されていなかったために配管が後退してストロークが不足する場合であっても、上記同様に突起部材の突出量を調整するだけで配管を嵌入することができ、操作負担を低減し、容易に接続金具を配管に嵌入することができる。
【００１７】
上記［２］に記載の接続金具嵌入工具によれば、配管固定部の上方から配管の取り付け、取り出しが容易くできるようになる。
【００１８】
上記［３］に記載の接続金具嵌入工具によれば、接続金具嵌入部の可動範囲を各自で設定できるようになる。
【００１９】
上記［４］に記載の接続金具嵌入工具によれば、予め配管に嵌入せしめる接続金具の長さに適した突起部材の突出量を設定しておくことができるので、嵌入作業効率が向上する。
【００２０】
上記［５］に記載の接続金具嵌入方法によれば、配管の固定位置が悪く、接続金具嵌入部のストロークが不足する場合であっても、突起部材の突出量を調整することで、配管の固定位置を修正する必要なく、配管固定部に固定したまま接続金具を確実に配管に嵌入することができ、操作負担を低減し、容易に接続金具を配管に嵌入することができる。
【００２１】
配管がしっかり固定されていなかったために配管が後退してストロークが不足する場合であっても、上記同様に突起部材の突出量を調整するだけで配管を嵌入することができ、操作負担を低減し、容易に接続金具を配管に嵌入することができる。
【図面の簡単な説明】
【００２２】
【図１】本発明の一実施形態にかかる接続金具嵌入工具の全体図である。
【図２】図１に係る接続金具嵌入工具の持ち手操作部を引き上げた場合の全体図である。
【図３】図１に係る接続金具嵌入工具に備えた接続金具嵌入部の動作を説明する説明図である。
【図４】図１に係る接続金具嵌入工具に備えた配管固定部を説明する説明図である。
【図５】図１に係る接続金具嵌入工具に備えた接続金具嵌入部の調整操作部を説明する説明図である。
【図６】図１に係る接続金具嵌入工具に備えた接続金具嵌入部の調整部材を説明する説明図である。
【発明を実施するための形態】
【００２３】
図１〜図６には、本発明の接続金具嵌入工具１に係る一実施形態を示す。
【００２４】
図１〜図３に示す接続金具嵌入工具１は、例えば、配管８を固定する配管固定部４と、前記配管固定部４に固定された前記配管８の一端側に接離する前後方向に可動し、突起部材２３が先端に螺入されてなる接続金具嵌入部２と、回動操作に伴って前記接続金具嵌入部２を可動させる持ち手操作部３と、が固定台５に固定されて構成されている。
【００２５】
接続金具嵌入工具１は、前記持ち手操作部３の操作により前記接続金具嵌入部２を前記配管８の一端側に近接する方向へ前進させ、前記接続金具嵌入部２の先端に螺入された突起部材２３で支持する接続金具７を、前記配管固定部４で固定される前記配管８に嵌入するために使用される。尚、配管８とは、所謂ホースを意味する。
【００２６】
以降では、接続金具７を介して外部機器などと接続するために、配管８の開口部に接続金具７を嵌入する際に接続金具嵌入工具１を適用する場合について説明する。配管８としては硬質な配管が好適であり、例えば、内側および外側に架橋ポリエチレン層を配設し、前記架橋ポリエチレン層の中間にアルミニウム層が配設された３層構造をなす三層管などが用いられる。
【００２７】
尚、三層管を形成する素材は上記に限定されるものではなく、中間層に銅、内外層に熱可塑性樹脂であるポリエチレン、塩化ビニルなどが用いられるのであってよい。また、単層管或いは３層以外の多層構造をなす多層管などであってもよく、配管であればその種類は限定しない。
【００２８】
（配管固定部）
図４に基づいて配管固定部４について説明する。配管固定部４は、固定台５に固定設置されている。
【００２９】
配管固定部４は、固定台５にネジ部材などにより固定部締結部４５で締結される固定部基台４２と、前記固定部基台４２の側部に設けた取付孔に螺入される固定調整部４３と、前記固定調整部４３と連結された回転部４１と、配管８を左右から狭持して固定する配管孔４６を形成する配管狭持部４４（４４ａ，４４ｂ）と、を備える。
【００３０】
例えば、前記回転部４１を時計回りに回転させると、回転に伴って固定調整部４３が徐々に固定部基台４２の内側方向へ螺入するように構成されている。
【００３１】
前記配管狭持部４４は、一辺の中間に半円状の窪みを有する狭持部材４４ａ，４４ｂを設け、当該窪みが対向するように配設した左右で一対の狭持部材４４ａ，４４ｂで構成される。
【００３２】
一方の狭持部材４４ｂが固定部基台４２に固定設置され、他方の狭持部材４４ａは固定調整部４３と連結され、固定部基台４２でスライド動作可能に設けられている。
【００３３】
狭持部材４４ａが、回転部４１の回転作用に伴って徐々に固定部基台４２の内部方向へ螺入される固定調整部４３に押し込まれるように、固定部基台４２の内側方向へスライドすることで、配管８を狭持する配管孔４６の径サイズが調整される。
【００３４】
回転部４１を反時計回りに回転させると、固定調整部４３とともに狭持部材４４ａが一方の狭持部材４４ｂから離間する方向へスライドする。狭持部材４４ａ，４４ｂが離間することで、配管狭持部４４の上方に間隙が生じる。
【００３５】
このような配管固定部４の構成により、配管固定部４の上方から配管８を取り付け、取り出すことが容易くできる。
【００３６】
以下では、図１〜３及び図５に基づいて説明する。
【００３７】
（持ち手操作部）
持ち手操作部３は、先端が握り易い形状、例えば丸みを帯びた形状で形成された操作レバー３１を備える。持ち手操作部３が操作レバー３１からなることで操作負担が低減される。
【００３８】
前記操作レバー３１の基端は、固定台５にネジ部材などで固設された支持固定部５１によって支持されるレバー固定部５２と連結され、操作レバー３１が回動操作可能に構成される。
【００３９】
尚、操作レバー３１が先端側と基端側で２つの部材で連結されて構成されているのであってもよい。その場合、先端が握り易い形状、基端がレバー固定部５２との連結に適した形状であればよい。
【００４０】
持ち手操作部３を引き上げた場合の持ち手操作部３の姿勢は、図示するように固定台５側に前傾姿勢で構成されることが好ましい。この構成により、操作負担がより低減されて容易く接続金具嵌入工具１を操作することができる。
【００４１】
（接続金具嵌入部）
固定台５にネジ部材などで固設された支持固定部５１にレバー固定部５２および円筒形に形成された固定筒５３が固設されて構成されている。
【００４２】
尚、支持固定部５１の上側一端部にレバー固定部５２、上側他端部に固定筒５３が固設されるように図示したが、この構成に限定されるものではない。
【００４３】
接続金具嵌入部２は、接続金具７を配管８に嵌入するための軸となり、前記固定筒５３を嵌通する嵌入軸２１と、前記嵌入軸２１の先端に螺入された突起部材２３と、を備えている。
【００４４】
接続金具嵌入部２は、リンク部材３２を介して操作レバー３１と連結される。接続金具嵌入部２の嵌入軸２１は、リンク部材３２を介して操作レバー３１の回動操作に連動し、配管８の一端側、つまり配管固定部４に固定された側の開口部軸方向に接離する前後方向に可動される。
【００４５】
例えば、持ち手操作部３が引き上げられると、接続金具嵌入部２は図２に示すように後退し、持ち手操作部３が引き下げられると接続金具嵌入部２は図１に示すように配管固定部４側へ前進するように構成されている。
【００４６】
接続金具嵌入部２の先端の突起部材２３には、接続金具７を支持するための突出部が形成され、当該突起部材２３は嵌脱自在に設けられている。
【００４７】
前記突起部材２３は、例えば、片面にネジ部材を有し、接続金具嵌入部２の先端に螺入する調整操作部２３ａと、調整操作部２３ａの他面に軸芯である金具支持軸２３ｂとを備えて構成される。当該金具支持軸２３ｂは、接続金具７に設けた穿孔に嵌入され、接続金具７を支持する。
【００４８】
調整操作部２３ａは、調整操作部２３ａのネジ部材の接続金具嵌入部２への螺入量を変化させて、金具支持軸２３ｂの突出量を調整するように構成される。
【００４９】
接続金具嵌入部２は、当該接続金具嵌入部２の可動域、つまり操作レバー３１の回動操作に連動した接続金具嵌入部２の可動範囲を規制する規制部を設ける。
【００５０】
例えば、操作レバー３１を引き上げた場合に接続金具嵌入部２の先端側の可動域端となる前方規制部２２を備える。前方規制部２２は、固定筒５３よりも先端側に、例えば、Ｃ型のリングが環装されることで構成される。
【００５１】
例えば、接続金具嵌入部２は、前記リンク部材３２と連結した連結部から前記前方規制部２２までの範囲を可動域として可動する。即ち、接続金具嵌入部２とリンク部材３２との連結部は、後方規制部としても機能する。
【００５２】
尚、種々の長さの接続金具７に対応可能となるので、前方規制部２２は脱着可能に構成されることが好ましい。
【００５３】
（接続金具嵌入方法）
持ち手操作部３を引き上げて、接続金具嵌入部２を後退させた状態で、接続金具嵌入部２の先端に備えた突起部材２３の金具支持軸２３ｂを接続金具７の穿孔に嵌入させて接続金具７を支持するように設定する。
【００５４】
配管固定部４の回転部４１を回転させて配管狭持部４４の各狭持部材４４ａ，４４ｂを離間させ、配管固定部４の上方から配管孔４６に配管８を嵌入する。その後、回転部４１を前回の回転方向と逆方向に回転させて各狭持部材４４ａ，４４ｂを徐々に近接させ、配管孔４６に配管８を嵌入させて固定する。
【００５５】
必要であれば、配管８を固定する前に前方規制部２２の位置を設定しておくとよい。前方規制部２２は、持ち手操作部３を引き上げた場合に、接続金具嵌入部２の先端で支持される接続金具７の先端と、配管固定部４で固定された配管８の開口部が近接する位置に設定されることが好ましい。
【００５６】
つまり、接続金具嵌入部２の可動範囲が、前記接続金具７の長さと等しいあるいは略等しい範囲となるように前方規制部２２が設定されることが好ましい。
【００５７】
接続金具嵌入部２の可動範囲を最低限に設定することができるので、操作負担を低減することができ、容易に接続金具７の嵌入操作ができるようになる。
【００５８】
接続金具７および配管８の設定が完了すれば、持ち手操作部３を引き下げて接続金具７を配管８に嵌入させる。
【００５９】
例えば、配管８の固定位置が悪く接続金具嵌入部２のストロークが不足する場合には、一旦、持ち手操作部３を引き上げて調整操作部２３ａで突起部材２３の突出量を調整し、再度持ち手操作部３を引き下げて接続金具７を配管８に嵌入させればよい。
【００６０】
このように、接続金具嵌入部のストロークが不足する場合であっても、突起部材２３の突出量を調整した後に再び接続金具７の嵌入操作をすることで、配管８の固定位置を修正することなく、配管固定部４に固定したまま接続金具７を確実に配管８に嵌入することができるので、操作負担を低減し、容易に接続金具７を配管８に嵌入することができる。
【００６１】
上述した接続金具嵌入工具によれば、前記接続金具嵌入部２の先端に螺入された前記突起部材２３の螺入量を変化させて、前記接続金具嵌入部２からの前記突起部材２３の突出量を調整し、持ち手操作部３の回動操作に連動して前記接続金具嵌入部２が前記接続金具７に近接する方向に前進することで前記接続金具７を前記配管８に嵌入する。
【００６２】
（まとめ）
上述では、突起部材２３の調整操作部２３ａを操作して、金具支持軸２３ｂを突出させることで接続金具嵌入部２の長さを調整するように説明したが、突起部材２３と接続金具嵌入部２の間に、例えば円筒形の調整部材９を設けるように構成するのであってもよい。
【００６３】
図６に示すように、例えば、予め前記突起部材２３と前記嵌入軸２１との間に、前記突起部材２３の突出量を調整設定するための着脱可能な円筒形の調整部材９を備えて構成する。
【００６４】
嵌入軸２１から突起部材２３を取り外し、その状態の嵌入軸２１の先端に調整部材９を取り付け、調整部材９を嵌入軸２１と突起部材２３とで挟むようにして接続金具嵌入部２に突起部材２３を嵌入する。
【００６５】
このように接続金具嵌入部２に調整部材９を備えることで、予め配管８に嵌入せしめる接続金具７の長さに適した突起部材２３の突出量を事前に設定しておくことができるようになるので効率的である。
【００６６】
勿論、調整部材９を適宜選択して本接続金具嵌入工具１に設けるのであってもよい。
【００６７】
尚、調整部材９の形状は円筒形のみに限定される必要はなく、方形であってもよく、接続金具嵌入部２で支持する接続金具７の配管８への嵌入を妨げない形状であれば、特に限定しない。
【００６８】
以上説明した実施形態は、本発明の一例に過ぎず、本発明の作用効果を奏する範囲において具体的構成などを適宜変更設計できることは言うまでもない。
【符号の説明】
【００６９】
１…接続金具嵌入工具
２…接続金具嵌入部
２１…嵌入軸
２２…前方規制部
２３…突起部材
３…持ち手操作部
３１…持ち手操作部
４…配管固定部
５…固定台
７…接続金具
８…配管
９…調整部材
【図１】
0005448982.tif 000002
【図２】
0005448982.tif 000003
【図３】
0005448982.tif 000004
【図４】
0005448982.tif 000005
【図５】
0005448982.tif 000006
【図６】
0005448982.tif 000007